(57)【要約】【発明が解決する課題】被介助者の成長や病状に合わせて、フットレストの高さ、座部の角度が容易に調節できると共に、背もたれを傾動させたり、テーブル、日除けを付設することができる介助用の多機能車椅子を提供する。【課題を解決する手段】開口部を有する空洞部とこれに連通する空洞部を有する断面がコの字形状のフレームよりなる前部フレーム１１に回動可能な前部キャスター１４と、前記フレームよりなる後部フレーム１２に背もたれ２０と、前記前部フレーム１１と前記後部フレーム１２に連結金具２７で支持された支持フレーム１３に後部キャスター１５を有する介助用車椅子であって、フットレスト１７の上下移動と座部１６の前後移動と角度調整が可能で、把持部１９の上下移動と傾動が可能であることを特徴とする多機能介助用車椅子とした。【選択図】図１
2004357829.tif 000002
【特許請求の範囲】
【請求項１】
開口部を有する空洞部とこれに連通する空洞部を有する断面がコの字形状のフレームよりなる前部フレームに回動可能な前部キャスターと、前記フレームよりなる後部フレームに背もたれと、前記前部フレームと前記後部フレームに連結金具で支持された支持フレームに後部キャスターを有する介助用車椅子であって、フットレストの上下移動と座部の前後移動と角度調整が可能で、把持部の上下移動と傾動が可能であることを特徴とする多機能介助用車椅子。
【請求項２】
座部と背もたれの前後の角度調節が可能であり、把持部の上下移動と傾動が可能であることを特徴とする請求項１に記載の多機能介助用車椅子。
【請求項３】
テーブルの脱着が可能であることを特徴とする請求項１又は請求項２のいずれかに記載の多機能介助用車椅子。
【請求項４】
日除けの脱着が可能であることを特徴とする請求項１から請求項３のいずれかに記載の多機能介助用車椅子。
【発明の詳細な説明】
【０００１】
【発明の属する技術分野】本発明は、被介助者の成長、体調等の状況に合わせて車椅子のフットレスト、座部等の前後や角度を調節、変更することができる多機能介助用車椅子に関わる。
【０００２】
【従来の技術】従来の介助用車椅子の開発は、特許文献１においては、第１頁の要約に記載されているように、「車輪とキャスターと、車輪と直交状に形成された案内部を備えた座席フレームと、座席フレームの後部側に回動自在に固定されかつ前記案内部に備えたバックレストフレームと、座席フレームの前部側に回動自在に装着されたレッグフレームと、案内部を摺動するローラ等の摺動係止部を下面の一端部に有する座席体及びバックレスト体と、座席フレーム及びバックレスト体と、座席フレーム及びバックレストフレームの各一側部に連設して配設された座席体及びバックレスト体を車輪側に摺動させるスライド機構と、下部フレームと、下部フレームの車輪側に装設されたスタンドと、を備えた構成を有している。」介護用車椅子が開示されている。さらに、特許文献１の車椅子は、第７頁の段落（［０００９］）に記載のように、リクライニング機構を持たせることによって、ベッドから車椅子への移乗が容易である効果を有している。
【０００３】
また、特許文献２の介護用車椅子は、第１頁要約に、「本発明の介護用車椅子は、脚部ユニットに対して、着座ユニットを仰向け状態になるように回動自在に構成するとともに、背もたれ部と脚もたせ部との間に、着座部に位置し得る支持体が掛け渡されて成り、患者が一時的に仰向け状態に寝られるような仰臥受け入れ状体に切り替えるにあたっては、背もたれ部を後方側に倒すように回動させ、着座部と背もたれ部との屈曲部が、下方に突き出すような状態とし、なお、且つ背もたれ部と脚もたせ部とに掛け渡された支持体を屈曲部から浮遊させ、ハンモック状態に張設するようにしたことを特徴とする。」介護用車椅子が開示されている。
【０００４】
さらに、特許文献３においては、第２頁（［０００３］）に、「前輪が固く小さい為、路面の凸凹で乗り心地が良くなかった。又非舗装路やジャリ道の走行が困難であった。」問題を解決するために、第２頁段落（［０００４］）に、「本発明は、前輪に大型チューブ入り車輪、後輪に大型チューブ入り自在車輪を取り付けた車椅子で前述の問題点を解決している。」として問題を解決したものである。
【０００５】
上記のように、介助用車椅子は、被介護者を乗せて病室間を移動したり、散歩をする場合に使用されることから、ベッドから車椅子の移乗を容易にしたり、車椅子で休息する時の居心地を良くしたり、走行時の乗り心地を良くしたりする工夫がされている。しかし、被介助者の病状は一様ではなく、被介助者のそれぞれの病状に合わせて簡単に車椅子のフットレストの高さ、座部の角度の調節、背もたれを傾動させることができる介助用の車椅子が望まれている。さらに、長期に介助を必要とする子供などの被介助者は、成長するにしたがって車椅子の座部の角度や、フットレストの高さが合わなくなった場合に、座部の角度や、フットレストの高さを容易に調節することができる車椅子の出現が望まれていた。
【０００６】
［特許文献１］特開平０７−３９５６２号公報
［特許文献２］特開２００１ー３３３９３８号公報
［特許文献３］特開２００２−２１９１４６号公報
【０００７】
【発明が解決する課題】本発明は、被介助者の成長や病状に合わせて、フットレストの高さ、座部の角度が容易に調節できると共に、背もたれを傾動させたり、テーブル、日除けを付設することができる介助用の多機能車椅子を提供する。
【０００８】
【課題を解決する手段】上記課題を解決するために、鋭意研究を重ねた結果、介助用車椅子のフレームに空洞部を有する断面コの字形状のフレームを使用することにより、フットレストの高さ、座部の角度の調節、背もたれの角度を自由に傾動させることができる介助用の多機能車椅子の提供が可能となった。
【０００９】
本発明の課題を解決する手段は、開口部を有する空洞部とこれに連通する空洞部を有する断面がコの字形状のフレームよりなる前部フレームに回動可能な前部キャスターと、前記フレームよりなる後部フレームに背もたれと、前記前部フレームと前記後部フレームに連結金具で支持された支持フレームに後部キャスターを有する介助用車椅子であって、フットレストの上下移動と座部の前後移動と角度調整が可能で、把持部の上下移動と傾動が可能であることを特徴とする多機能介助用車椅子である。開口部を有する空洞部に連通する空洞部の２つの空洞部からなる断面がコの字形状の開口部を有する小さい方の空洞部にナットを摺動可能に嵌挿し、このナットにボルトを螺着して、ボルトにフットレスト、把持部等を取着して、ボルトを緩めてナットを上下に摺動させることにより、フットレスト、把持部等の上下移動を可能とした。また、座部の角度調整と前後移動を可能にすることにより、座乗者の状況に合わせて座部の位置を調節することができる。さらに、把持部を傾動させることによって、介助者が把持しやすい位置に把持部を調節することができる。
【００１０】
本発明の別の課題を解決する手段は、座部と背もたれの前後の角度調節が可能であり、把持部の上下移動と傾動が可能であることを特徴とする請求項１に記載の多機能介助用車椅子である。背もたれの角度調整を行って、被介助者を楽な姿勢で車椅子に座乗させて、介助者も把持しやすい位置に把持部の角度を調整することができる。
【００１１】
本発明の別の課題を解決する手段は、テーブルの脱着が可能であることを特徴とする請求項１又は請求項２のいずれかに記載の多機能介助用車椅子である。車椅子の前部にテーブルを取着して、被介助者が簡単な飲食を行ったり、書き物をする場合に使用することができる。
【００１２】
本発明の別の課題を解決する手段は、日除けの脱着が可能であることを特徴とする請求項１から請求項３のいずれかに記載の多機能介助用車椅子である。車椅子に日除けを取り付けることによって、散歩の際に、被介助者に強い日差しを当てないようにすることができる。
【００１３】
【発明の実施の態様】本発明の態様を以下に図面を用いて説明するが、要旨を超えない範囲において、本発明は以下の実施例に限定されるものではない。
【００１４】
本発明の多機能介助用車椅子１００は、図１に示すように車椅子の前部フレーム１１の下部に回動自在の前部キャスター１４が設けられている。この前部フレーム１１は開口部を有する空洞部に連通する空洞部を有する断面がコの字形状のフレームよりなる。また、後部フレーム１２も開口部を有する空洞部に連通する空洞部を有する断面がコの字形状のフレームよりなり、この後部フレーム１２に背もたれ部２０が設けられている。さらに、下部にブレーキペダル１８を有する後部キャスター１５が着設された支持フレーム１３によって構成されている。支持フレーム１３の先端部はアームレスト２１の前端部と前部フレーム１１の上端部とが連結金具２６によって連結されている。また、支持フレーム１３は中程で後部フレーム１２の下端部と座部固定金具２５の後端部が連結金具２７によって連結されている。
【００１５】
本発明の多機能介助用車椅子１００に使用したフレームは、図２（２−１）に示すように開口部Ｃを有する空洞部Ｂに連通する空洞部Ａを有する断面がコの字形状のフレーム３１よりなるフレームである。この断面がコの字形状のフレーム３１は大きな空洞部Ａとこれに連通して開口部Ｃを有する小さな空洞部Ｂに分かれており、開口部Ｃを有する小さい空洞部Ｂに部品固定用のナット３２が上下移動が可能に嵌挿されている。本発明で使用したフレームの外径は２０×２０ｍｍのフレームを、前部フレームには長さが３９３．４ｍｍのものを、後部フレームには長さが５８５ｍｍのものをそれぞれ使用した。フレームの径は太すぎると車椅子が重くなり、細すぎると強度に問題が出てくるので、径が２０〜４０ｍｍ位の径が望ましく、上記径に限定されるものではない。前部フレーム、後部フレームに使用するフレームの長さは車椅子の大きさ、形状によって適切な長さで適宜使用することができ、本発明で使用した長さに限定されるものではない。
【００１６】
フレームに部品を固定する場合は、図２（２−２）に示すように、部品固定用のナット３２に部品３４を部品固定用ボルト３３で固定する。部品の位置を移動させる場合は、ボルト３３を緩めてナット３２をフレームの開口部を有する空洞部Ｂを上下に摺動させて、部品３４を所望の位置に調節してボルト３３を締めることによって簡単に部品３４の位置を調整して固定することができる。ここで部品３４とは、フットレスト、把持部、テーブル、日除け等の常時使用するものから、必要に応じて取着するものを云う。
【００１７】
従来の介助型車椅子のフレームを含めた各部品の調整幅は、多くの場合、フレームに設けられた既設の孔の位置に部品を取着して位置の調整がされたいた。このような従来の方法では、既設の孔の位置に部品の位置が限定されるという問題があった。本発明の介助型車椅子は、開口部を有する空洞部とこれに連通する空洞部を有する断面がコの字形状のフレーム３１を用いて、開口部を有する空洞部にナットを嵌挿して、このナットをフレームの空洞部を摺動させることによって部品の位置の調整を行うため、調整する位置が限定されず、固定作業も簡単に行えると共に、各種のオプションも容易に取り付けることができる。
【００１８】
フットレスト１７の高さ調節は、図３に示すように、フットレスト１７の固定ボルト１７ａを緩めて、被介助者が腰掛けた状態で、脚が適正な位置になるように高さを調整して、固定ボルト１７ａを締め付けることによりフットレスト１７が固定される。被介助者が座った状態でフットレスト１７の位置を調整することによって、被介助者が楽な姿勢で車椅子のフットレスト上に脚を置いて座るようにすることができる。
【００１９】
座部１６の構成は図４に示すように、座部１６は座部基盤１６ｂ上に弾力性のあるクッション１６ａが敷設されたもので、座部基盤の前側面と後側面に座部固定用のボルト孔１６ｃ、１６ｄがそれぞれ３個ずつ穿設されている。座部の固定は、支持フレーム１３の中程に連結金具２７で連結された座部固定金具２５にボルトで固定される。座部１６の位置を前後に調節する場合は、１６ｃ、１６ｄのボルト孔と２５ａ、２５ｂのボルト孔を整合させてボルトで固定することによって、前後３段階に調節することができる。
【００２０】
座部固定金具２５の前方部に設けられた上下３つのボルト孔２５ａは、図５に示すように、座部１６を取着して、座部の後方のボルト孔２５ｂを支点として、座部の前方部のボルト孔を上下３つのボルト孔の何れかに固定することによって、座部の前方部の高さを３段階に調節することが可能となっている。
【００２１】
把持部１９は、ノブボルト２４を緩めて、角度を前方、後方へ自在に変更してノブボルト２４を締め付けることによって介助者の把持し易い位置に把持部１９を固定することができる。把持部１９の角度調整は図６に示すように、ノブボルト２４の下にセレーションをかけた座金２４ａと、これに嵌合するようにセレーションをかけたフレーム側に取着された座金２４ｂとを嵌合させて、把持部１９のネジ孔２４ｄをネジ２４ｃに挿入して、ナットが嵌着されたノブボルト２４を締め付けることによって、把持部１９の角度調整を自在にした。
【００２２】
図７は本発明の介助用車椅子の背もたれ２０と把持部１９の傾斜角度を変更することができるリクライニング可能な介助用車椅子の例を示している。アームレスト４２を取着したガスダンパーのような伸縮部材４１を介助用車椅子の両側の連結金具２６と後部フレーム１２の間に取着して、伸縮部材４１の操作レバー４３を背もたれ後部に着設して、介助用車椅子の両側の伸縮部材４１と操作レバー４３をワイヤー４４でそれぞれ連結する。さらに、後部キャスター１５の上部に転倒防止用の転倒防止キャスター４５を取着する。
【００２３】
図８に示すようにリクライニング可能な介助用車椅子とすることができる。リクライニング可能な介助用車椅子は、図８に示す操作レバー４３を操作して後方に引くと、伸縮部材４１が延びて背もたれ２０が後方に倒れリクライニングとなる。
【００２４】
図９の（９−１）は本発明の多機能介助用車椅子１００にテーブル４６と日除け４７を着設した例を示す。テーブル４６は前部フレーム１１に嵌挿されたナットに４６ａのボルトで固定することによって、適当な位置に強固に固定することができる。テーブル４６を上下に移動させる場合は、ボルトを緩めて前部フレーム１１に嵌挿されたナットと共に任意の位置に上下移動させて、ボルトを締めることによって、テーブル４６を任意の位置に固定することができる。日除け４７は後部フレーム１２に嵌挿されたナットに螺着されたボルト４７ａを締めることによって、介助用車椅子に日除け４７を簡単に着設することができる。日除け４７の高さ調整もボルト４７ａを緩めて任意の位置で締め付けることによって、適正な位置に日除け４７を着設することができる。
【００２５】
また、フットレスト１７の位置を前部フレーム１１より前方に出す必要があるときは、図９の（９−２）に示すように、フットレスト延長金具４８を着設することにより、フットレスト１７を簡単に前部フレーム１１より前方に出すことができる。フットレスト延長金具４８はフットレスト１７の固定部分４８ａをボルトで固定し、前部フレーム固定部分４８ｂを前部フレーム１１に嵌挿したナットにボルトで２箇所を固定する。
【００２６】
【発明の効果】本発明の多機能介助用車椅子は、座部の角度の調整、フットレストの高さ調整、背もたれの角度調整が可能としたことによって、被介助者の成長に合わせ、あるいは、被介助者の体の状態によって、車椅子の形状を調節することができる。また、必要に応じてテーブルを着設することによって、被介助者が軽い食事をしたり、書き物をすることができる。さらに、日除けを着設することによって、散歩に出かけることもできる。
【図面の簡単な説明】
【図１】多機能介助用車椅子の側面図。
【図２】前部フレームと後部フレームの断面図。
【図３】フットレストの高さ調整を示す側面図。
【図４】座部と座部取着部の部分斜視図。
【図５】多機能介助用車椅子の座部の上下動を示す側面図。
【図６】把持部の取着部の部分側面図。
【図７】多機能介助用車椅子に伸縮部材を取着した側面図。
【図８】多機能介助用車椅子の背もたれを倒した側面図。
【図９】テーブルと日除けを着設した側面図。
【符号の説明】
１００：多機能介助用車椅子
１１：前部フレーム
１２：後部フレーム
１３：支持フレーム
１４：回動自在の前部キャスター
１５：後部キャスター
１６：座部
１７：フットレスト
１８：ブレーキレバー
１９：把持部
２０：背もたれ部
２１：アームレスト
２２：ストッパー
２３：ストッパーノブ
２４：ノブボルト
２５：座部固定金具
２６：連結金具
２７：連結金具
３１：フレームの断面
３２：部品固定用ナット
３３：部品固定用ボルト
３４：部品
４１：伸縮部材
４２：アームレスト
４３：操作レバー
４４：ワイヤー
４５：転倒防止用キャスター
４６：テーブル
４７：日除け
４８：フットレスト延長金具
【図１】
2004357829.tif 000003
【図２】
2004357829.tif 000004
【図３】
2004357829.tif 000005
【図４】
2004357829.tif 000006
【図５】
2004357829.tif 000007
【図６】
2004357829.tif 000008
【図７】
2004357829.tif 000009
【図８】
2004357829.tif 000010
【図９】
2004357829.tif 000011